(57)【要約】【課題】  複数台の携帯用ガスモニターの全部について同時校正が可能であり、また、一連の更新処理を短時間で行うことができ、しかも高い利便性を有する新規な構成の複数ガスモニター同時校正装置およびガスモニターの更新処理方法の提供。【解決手段】  同時校正装置は、校正用ガスが順次に供給されるよう接続された複数の校正モジュールと、各部の動作制御および情報処理を行う制御機構を備えた装置本体とよりなり、各校正モジュールには、供給側ガス流路に流路開閉弁が設けられていると共に排出側ガス流路に逆止弁が設けられており、逆止弁は、その自重によりガス流路を閉止すると共にガスの圧力によりガス流路を開放する弁体を有するものである。各校正モジュールは、ガスモニターの情報を当該モジュールに設けられた記録手段に一旦記録した後、装置本体に転送する情報通信機能を有すると共に、充電用出力端子が設けられている。【選択図】  図１
2006003115.tif 000002
【特許請求の範囲】
【請求項１】
各々、携帯用ガスモニターが接続される複数の校正モジュールと、電源がＯＮ状態とれた携帯用ガスモニターが接続された校正モジュールを認識する機能を有する制御機構を備えた装置本体とを備えてなり、校正用ガスが各校正モジュールに順次に供給されるよう主ガス供給流路が形成されていると共に校正用ガスの供給順に対して先行する校正モジュールから排出されたガスが当該校正モジュールに連続する後続の校正モジュールに導入されるようガス排出流路が形成されており、
各校正モジュールにおいては、主ガス供給流路からガスモニターに至る分岐ガス供給流路に流路開閉弁が設けられていると共にガスモニターからガス排出流路に至るガス流路に逆止弁が設けられており、
逆止弁は、その自重によりガス流路を閉止すると共にガスモニターから排出されたガスの圧力によりガス流路を開放する弁体を有するものであることを特徴とする複数ガスモニター同時校正装置。
【請求項２】
校正モジュールとしては、少なくともガス吸引手段が設けられた、拡散式ガスモニター接続用のものと、吸引式ガスモニター接続用のものとが用いられており、
吸引式ガスモニターにおけるガス吸引手段および拡散式ガスモニター接続用の校正モジュールにおけるガス吸引手段によって、校正用ガスが各校正モジュールに順次に供給されることを特徴とする請求項１に記載の複数ガスモニター同時校正装置。
【請求項３】
各校正モジュールには、記録手段が設けられており、ガスモニターに記録された情報を当該記録手段に記録した後、装置本体に転送する情報通信機能を有することを特徴とする請求項１または請求項２に記載の複数ガスモニター同時校正装置。
【請求項４】
校正モジュールにおける記憶手段がフラッシュメモリよりなることを特徴とする請求項３に記載の複数ガスモニター同時校正装置。
【請求項５】
各校正モジュールには、携帯用ガスモニターの電池を充電するための充電用出力端子が設けられていることを特徴とする請求項１乃至請求項４のいずれか一に記載の複数ガスモニター同時校正装置。
【請求項６】
各校正モジュールには、携帯用ガスモニターの状態を区別して表示する表示機構が設けられていることを特徴とする請求項１乃至請求項５のいずれか一に記載の複数ガスモニター同時校正装置。
【請求項７】
校正モジュールの数が５台以上であることを特徴とする請求項１乃至請求項６のいずれか一に記載の複数ガスモニター同時校正装置。
【請求項８】
請求項３乃至請求項７のいずれか一に記載の複数ガスモニター同時校正装置を用い、
各々、監視動作に用いられた複数の携帯用ガスモニターの全部について、ガスモニターに記録された情報の情報伝達処理、ガス検知部の校正処理および電池の充電処理を含む更新処理を行う方法であって、
前記情報伝達処理においては、電源がＯＮ状態とされた携帯用ガスモニターが接続された校正モジュールの全部について同時に、携帯用ガスモニターに記録された監視データを含むガスモニター情報が赤外線通信方式によって校正モジュールに伝達されて校正モジュールの記録手段に一旦記録され、その後、当該ガスモニター情報が電気通信方式によって各校正モジュールから順次に転送されることを特徴とする携帯用ガスモニターの更新処理方法。
【請求項９】
前記校正処理においては、電源がＯＮ状態とされた携帯用ガスモニターが接続された校正モジュールの各々における流路開閉弁が開放され、校正用ガスが各校正モジュールに順次に供給されることを特徴とする請求項８に記載の携帯用ガスモニターの更新処理方法。
【請求項１０】
携帯用ガスモニターについての一連の更新処理の終了後においては、携帯用ガスモニターの状態が、情報伝達処理、校正処理および充電処理のそれぞれの処理結果に応じて区別されて表示されることを特徴とする請求項８または請求項９に記載の携帯用ガスモニターの更新処理方法。
【発明の詳細な説明】
【技術分野】
【０００１】
本発明は、例えば複数の携帯用ガスモニターについての校正処理を同時に行うための複数ガスモニター同時校正装置および携帯用ガスモニターの更新処理方法に関し、詳しくは、情報通信機能および充電機能を備え、携帯用ガスモニターに記録された監視動作に係る監視データの情報伝達処理、ガス検知部の校正処理および携帯用ガスモニターの電池の充電処理などの、次に携帯用ガスモニターを使用するための更新処理を行うための複数ガスモニター同時校正装置および携帯用ガスモニターの更新処理方法に関するものである。
【背景技術】
【０００２】
一般に、例えば地下の工事現場や坑道、その他の人が立ち入る場所や作業領域などにおいて、その環境の空気中に一酸化炭素ガスや硫化水素ガスなどの危険性ガスが含有されるおそれがある場合や、空気中の酸素ガス濃度が低下しているおそれがある場合など、環境雰囲気の空気が危険な状態となっている可能性あるいは危険な状態となる可能性がある場合が少なくない。
そして、環境雰囲気の空気において、含有される危険性ガスの濃度が高いことにより、または酸素ガス濃度が低いことにより、人に対して危険な状態となったときには、そのことを直ちに知ることが必要である。
【０００３】
現在、環境雰囲気の空気において、例えば酸素ガス、高濃度可燃性ガス、低濃度可燃性ガス、硫化水素ガス、一酸化炭素ガスなどの濃度を監視するための携帯用ガスモニター  （以下、単に「ガスモニター」という。）が利用されている。
このようなガスモニターのある種のものは、互いに異なる種類のガス成分を検知する複数のガスセンサー、および検知対象ガスの濃度変化などの監視動作に係る監視データを記録するための記録手段を備えてなり、駆動源として二次電池（蓄電池）が用いられており、作業現場において、人に携帯されて使用される（例えば特許文献１参照）。取得された監視データは、例えばガス漏洩の発生状況の分析や危険性ガスによる事故を未然に防ぐために利用されている。
【０００４】
この種のガスモニターは、監視動作終了後例えば１日の作業終了後に、記録手段に記録された監視データの情報伝達処理、電池の充電処理および必要に応じて行われるガスセンサーの校正処理を含む、次にガスモニターを使用するためのいわば更新処理が行われる。  ガスモニターの更新処理を行うに際して用いられる機器としては、例えば特許文献１には、通信機能、充電機能および校正機能を備えてなるものが開示されている。
【特許文献１】特開２００２−１１６１６９号公報
【発明の開示】
【発明が解決しようとする課題】
【０００５】
一般に、作業現場において、監視動作が必要となる測定ポイントが多数個所になる場合や特定の測定ポイントを集中的に監視することが必要となる場合も少なくなく、実際には、複数台のガスモニターが利用されている。
【０００６】
ガスモニターは、通常、ガスセンサーの校正を所定期間毎に行うことが必要とされており、ガスセンサーの校正は、標準濃度のガス（校正用ガス）をガス検知部に供給することにより実施されている。
而して、多数のガスモニターについて校正を行う場合には、例えばあるガスモニターに所定の校正用ガスを供給して当該ガスセンサーの感度の校正を行い、このガスモニターについての校正処理が終了した後、次のガスモニターについての校正処理を行っており、ガスモニターのすべてについての校正処理が終了するまでに相当に長い時間を要する、という問題がある。
【０００７】
また、多数のガスモニターによる監視が行われる場合には、その全部のガスモニターについて更新処理が行われる必要があるが、ガスモニターが多数の場合には、例えば上記特許文献１に開示されているような機器によって１台ずつ更新処理が行われるのであれば、すべてのガスモニターについて所要の更新処理が終了するまで相当に長い時間を要する、という問題がある。
特に、ガスモニターに記録された監視データの情報伝達処理は、ガスモニターそれ自体が誘爆要因とならない防爆構造とされているなどの構造上の理由から、例えば赤外線通信方式により行われており、この赤外線通信方式は、電気通信方式に比して、データの転送速度が遅いので、記録された監視データがデータ量が少ないものである場合には、複数のガスモニターの全部について１台ずつ情報伝達処理が行われた場合であっても、情報伝達処理が終了するまでに長時間を要することはないが、監視データが例えば警報が発せられた前後の所定時間の間の濃度値変化を記録したもの（トレンドデータ）などのデータ量が多いものである場合には、情報伝達処理が終了するまでに相当に長い時間を要すると共に、作業者にかかる手間が多くなり不便である。
【０００８】
本発明は、以上のような事情に基づいてなされたものであって、その第１の目的は、複数台のガスモニターの全部について所要の校正処理を同時に行うことができ、しかも高い利便性を有する新規な構成の複数ガスモニター同時校正装置を提供することにある。
また、本発明の第２の目的は、情報通信機能および充電機能を備えてなり、複数台のガスモニターの全部について校正処理を含む一連の更新処理を短時間で行うことができ、しかも高い利便性を有する複数ガスモニター同時校正装置を提供することにある。
さらに、本発明の第３の目的は、複数台のガスモニターの全部について校正処理を含む一連の更新処理を短時間で行うことができ、しかも高い利便性が得られる携帯用ガスモニターの更新処理方法を提供することにある。
【課題を解決するための手段】
【０００９】
本発明の複数ガスモニター同時校正装置は、各々、携帯用ガスモニターが接続される複数の校正モジュールと、電源がＯＮ状態とれた携帯用ガスモニターが接続された校正モジュールを認識する機能を有する制御機構を備えた装置本体とを備えてなり、校正用ガスが各校正モジュールに順次に供給されるよう主ガス供給流路が形成されていると共に校正用ガスの供給順に対して先行する校正モジュールから排出されたガスが当該校正モジュールに連続する後続の校正モジュールに導入されるようガス排出流路が形成されており、
各校正モジュールにおいては、主ガス供給流路からガスモニターに至る分岐ガス供給流路に流路開閉弁が設けられていると共にガスモニターからガス排出流路に至るガス流路に逆止弁が設けられており、
逆止弁は、その自重によりガス流路を閉止すると共にガスモニターから排出されたガスの圧力によりガス流路を開放する弁体を有するものであることを特徴とする。
【００１０】
本発明の複数ガスモニター同時校正装置においては、校正モジュールとしては、少なくともガス吸引手段が設けられた、拡散式ガスモニター接続用のものと、吸引式ガスモニター接続用のものとが用いられており、
吸引式ガスモニターにおけるガス吸引手段および拡散式ガスモニター接続用の校正モジュールにおけるガス吸引手段によって、校正用ガスが各校正モジュールに順次に供給される構成とされていることが好ましい。
【００１１】
また、本発明の複数ガスモニター同時校正装置においては、各校正モジュールには、記録手段が設けられており、ガスモニターに記録された情報を当該記録手段に記録した後、装置本体に転送する情報通信機能を有するものであることが好ましい。この場合には、校正モジュールにおける記憶手段としてはフラッシュメモリを用いることができる。
【００１２】
さらに、本発明の複数ガスモニター同時校正装置においては、各校正モジュールには、携帯用ガスモニターの電池を充電するための充電用出力端子が設けられた構成とされていることが好ましい。
また、本発明の複数ガスモニター同時校正装置においては、各校正モジュールには、携帯用ガスモニターの状態を区別して表示する表示機構が設けられた構成とされていることが好ましい。
さらに、本発明の複数ガスモニター同時校正装置は、校正モジュールの数が５台以上である場合に、極めて有用なものとなる。
【００１３】
本発明の携帯用ガスモニターの更新処理方法は、上記に記載の複数ガスモニター同時校正装置を用い、各々、監視動作に用いられた複数の携帯用ガスモニターの全部について、ガスモニターに記録された情報の情報伝達処理、ガス検知部の校正処理および電池の充電処理を含む更新処理を行う方法であって、
前記情報伝達処理においては、電源がＯＮ状態とされた携帯用ガスモニターが接続された校正モジュールの全部について同時に、携帯用ガスモニターに記録された監視データを含むガスモニター情報が赤外線通信方式によって校正モジュールに伝達されて校正モジュールの記録手段に一旦記録され、その後、当該ガスモニター情報が電気通信方式によって各校正モジュールから順次に転送されることを特徴とする。
【００１４】
また、本発明の携帯用ガスモニターの更新処理方法においては、前記校正処理は、電源がＯＮ状態とされた携帯用ガスモニターが接続された校正モジュールの各々における流路開閉弁が開放され、校正用ガスが各校正モジュールに順次に供給されることにより行われる。
さらに、本発明の携帯用ガスモニターの更新処理方法においては、携帯用ガスモニターについての一連の更新処理の終了後においては、携帯用ガスモニターの状態が、情報伝達処理、校正処理および充電処理のそれぞれの処理結果に応じて区別されて表示される。
【発明の効果】
【００１５】
本発明の複数ガス同時校正装置によれば、各校正モジュールに設けられた流路開閉弁の開閉状態が制御されて、校正用ガスが、電源がＯＮ状態とされたガスモニターが接続された校正モジュールのみに供給されると共に、排出側のガス流路に設けられた特定の逆止弁が小さい圧力で作動されるので、装置全体のガス流路を流過するガスの圧力損失を小さくすることができる結果、ガス供給能力が低いガス吸引手段によって円滑なガス供給およびガス排出を行うことができる。従って、ガスモニターにおけるガス吸引手段および校正モジュールにおけるガス吸引手段を用いたものでありながら、複数の校正モジュールをいわば直列に接続することができる結果、校正用ガスを連続して複数の校正モジュールの各々に供給することができるので、複数のガスモニターの全部について同時に校正処理を行うことができ、処理時間の短縮化を図ることができる。
しかも、電源がＯＮ状態とされたガスモニターが接続された校正モジュールが自動的に認識されて、当該校正モジュールに係るガスモニターについて所要の更新処理が行われるので、作業者は、ガスモニターの電源をＯＮ状態にして校正モジュールに接続するという簡単な操作のみを行えばよいので、複数ガスモニター同時校正装置を極めて高い利便性を有するものとして構成することができる。
また、ポンプなどのガス吸引手段を別個に設けることなしに、ガスモニターにおけるガス吸引手段および校正モジュールにおけるガス吸引手段によって、円滑なガス供給およびガス排出を行うことができるので、配管等の構成を簡素化することができると共に装置全体が大型化することを防止することができる。
【００１６】
また、本発明の複数ガス同時校正装置によれば、データの転送速度が遅い赤外線通信方式によるガスモニターと校正モジュールとのデータ通信処理が校正モジュールの全部について同時に行われ、データの転送速度が早い電気通信方式による校正モジュールからの装置本体へのデータの転送処理が順次に行われるので、ガスモニターに記録された情報を赤外線通信方式によって順次に転送する場合に比して大幅に処理時間を短縮化することができる。校正モジュールに設けられた記憶手段としてフラッシュメモリが用いられることにより、フラッシュメモリそれ自体の特性により、一旦監視データが記録された領域には監視データが上書きされることがないので、必要とされる監視データを確実に記録することができ、しかも、以前に取得された監視データの読み出しを更新処理とは別個に必要に応じて適宜に行うことができる。
【００１７】
さらに、本発明の複数ガス同時校正装置によれば、ガスモニターについての充電処理を複数の校正モジュールの全部について同時に行うことができるので、ガスモニターの全部についての一連の更新処理を効率よく、短時間で行うことができる。また、本発明は、５台以上のガスモニターの全部について更新処理を行う場合に極めて有用である。
【００１８】
また、本発明の複数ガス同時校正装置によれば、表示機構によりガスモニターの状態を容易に把握することができるので、正常な状態にあるガスモニターを常に使用することができる。
【００１９】
上記の複数ガス同時校正装置において実行される本発明の携帯用ガスモニターの更新処理方法によれば、複数のガスモニターの全部について一連の更新処理を短時間で行うことができ、しかも、電源がＯＮ状態とされたガスモニターが接続された校正モジュールが自動的に認識されて、当該校正モジュールに係るガスモニターについて所要の更新処理が行われるので、作業者はガスモニターの電源をＯＮ状態にするという操作のみを行えばよいので、極めて高い利便性が得られる。
【発明を実施するための最良の形態】
【００２０】
本発明の複数ガスモニター同時校正装置は、被検ガスがガス吸引手段によってガス検知部に導入される吸引式の携帯用ガスモニター、および、ガス吸引手段を有さず、被検ガスが自然拡散によってガス検知部に導入される拡散式の携帯用ガスモニターのいずれのものについても、複数台のガスモニターの全部について校正処理を同時に行うことができ、しかも、携帯用ガスモニターが通信用端子および充電用端子を備えたものである場合には、ガス検知部の校正処理を含む一連の更新処理を行うことができるものである。以下、本発明について、図面を参照しながら詳細に説明する。
【００２１】
図１は、本発明の複数ガスモニター同時校正装置の一例における構成の概略を示す説明図である。
この複数ガスモニター同時校正装置１０は、校正用ガスが順次に供給されるよう互いに接続された複数の校正モジュール２０と、電源がＯＮ状態とされたガスモニター５０が接続された校正モジュール２０を認識する機能を有する制御機構１９を備えた装置本体１１とにより構成されている。
【００２２】
装置本体１１は、互いに種類が異なる複数のガスから選択された標準濃度のガスを校正用ガスとして供給するガス選択供給機構１２を備えている。
ガス選択供給機構１２は、互いに独立した複数のガス導入用ポート１３の各々から並列した状態で延びる複数の特定ガス導入流路１４と、これらの特定ガス導入流路１４が接続された混合ガス流路１５とを備えてなり、特定ガス導入流路１４の各々には、例えば電磁弁１６が設けられている。図１において、１７は、装置外部の空気が導入される空気導入流路である。
ガス導入用ポート１３の各々には、互いに異なる特定ガス供給源１８が接続されている。
特定ガスとしては、校正モジュール２０に接続されるガスモニター５０に係る検知対象ガスに応じたものが用いられ、具体的には、例えば酸素ガス、高濃度可燃性ガス、低濃度可燃性ガス、硫化水素ガス、一酸化炭素ガスなどを例示することができる。
【００２３】
各々の電磁弁１６は、その開閉状態が制御機構１９によって互いに独立して制御される構成とされており、これにより、必要なガスが選択されて一種のガスが単独であるいは複数種のガスが混合されてガス排出ポート１３Ａから各校正モジュール２０に供給される。  ガス選択供給機構１２より供給される校正用ガスの流量は、例えば接続された校正モジュール２０の数によっても異なるが、例えば０．３５〜０．５リットル／ｍｉｎとされる。
【００２４】
装置本体１１における制御機構１９は、ガスモニター５０が装着されることにより当該ガスモニター５０と相互に接続された校正モジュール２０を識別する機能、具体的には、ガスモニター５０が接続された校正モジュール２０のアドレスによって、接続されたものが拡散式ガスモニター５０Ａおよび吸引式ガスモニター５０Ｂのいずれであるかを識別する機能を有する。
【００２５】
校正モジュール２０の数は、例えば５台以上とされ、装置全体のガス供給能力等を考慮すると、実用上は、例えば１０台程度であることが好ましい。
この実施例においては、例えば１０台の校正モジュール２０が接続されており、例えばそれぞれ同数の拡散式ガスモニター接続用のもの２０Ａおよび吸引式ガスモニター接続用のもの２０Ｂが、校正用ガスの供給順に交互に接続されている。なお、図１においては、校正モジュールの接続状態を省略した状態で示してある。また、以後、特に言及しない場合は、「拡散式ガスモニター接続用校正モジュール２０Ａ」および「吸引式ガスモニター接続用校正モジュール２０Ｂ」を区別せずに、単に、「校正モジュール２０」として説明する。ガスモニター５０についても同様とする。
【００２６】
各校正モジュール２０は、導入された校正用ガスをガスモニター５０に供給するための校正用ガス供給部２１を具えている。
校正用ガス供給部２１は、２つのガス入口２２Ａ，２２Ｂおよび２つのガス出口２３Ａ，２３Ｂを有し、校正モジュール２０内において第１のガス入口２２Ａが第１のガス出口２３Ａに接続されて短絡流路４１が形成されていると共に、短絡流路４１からガスモニター５０に至る分岐ガス供給流路４２には、流路開閉弁である例えば電磁弁２５が設けられている。
また、校正用ガス供給部２１においては、第２のガス入口２２Ｂが第２のガス出口２３Ｂに接続されて形成された内部ガス排出流路４６に、ガスモニター５０から延びるよう形成された、ガスモニター５０から内部排出流路４６に至る個別ガス排出流路４７が接続されていると共に、この個別ガス排出流路４７には、逆止弁２６が設けられている。
ここに、拡散式ガスモニター用校正モジュール２０Ａには、分岐ガス供給流路４２における電磁弁２５より下流側の位置に、ガス吸引手段３０および圧力センサー３１が設けられていると共に圧力センサー３１より下流側の位置に絞り部３２が形成されている。ガス吸引手段３０は、ガス吐出量が例えば０．４〜０．４５リットル／ｍｉｎであるガス吸引能力を有するものが用いられている。
【００２７】
個別ガス排出流路４７に設けられる逆止弁２６は、例えばクロロプレンゴムよりなるフィルム状の弁体を有するダイヤフラム弁よりなり、弁座は水平面に形成されている。
この弁体は自重により個別ガス排出流路４７を閉止し、ガスモニター５０から排出されるガスの圧力で個別ガス排出流路４７を開放する構成とされており、作動圧力は、例えば０．０２ｋＰａ以下である。
このような構成の逆止弁２６が用いられることにより、弁体それ自体が軽量であるために、装置全体のガス流路を流過するガスの圧力損失を小さくすることができるので、別個にガス吸引手段等を設けることなしに、吸引式ガスモニター５０Ｂにおけるガス吸引手段５５および拡散式ガスモニター用校正モジュール２０Ａにおけるガス吸引手段３０によってガスを円滑に流すことができ、校正モジュール２０を多数接続することができる。
【００２８】
校正モジュール２０の外部において、第１のガス入口２２Ａがガス選択供給機構１２または校正用ガスの供給順に対して先行の校正モジュールの第１のガス出口２３Ａに接続されており、これにより、校正モジュール２０の各々に対して校正用ガスを順次に供給する主ガス供給流路４０が形成されていると共に、第２のガス入口２３Ａが先行の校正モジュールにおける第２のガス出口２３Ｂに接続され、これにより、先行の校正モジュールから排出されたガスが後続の校正モジュールを順次に流過するようガス排出流路４５が形成されている。これにより、上述したように、複数個の校正モジュール２０が、校正用ガスおよびガスモニター５０から排出されたガスが各校正モジュール２０を順次に流過するよう、互いに接続された状態とされている。
【００２９】
以上において、校正用ガスの供給順に対して最先の校正モジュールにおける第２のガス入口２２Ｂおよび最後の校正モジュールにおける第１のガス出口２３Ａは、閉止されている。
【００３０】
ガスモニター５０は、互いに異なる種類のガス成分を検知する複数のガスセンサー５１Ａを具えたガス検知部５１および各検知対象ガスの濃度変化などの監視動作に係る監視データなどを記録するための記録手段（図示せず）を備え、駆動源として二次電池が用いられてなるものであって、作業現場において人に携帯されて使用されるものである。
吸引式ガスモニター５０Ｂには、ガス導入口５２からガス検知部５１に至るガス導入流路５３に、ガス吸引手段５５および圧力センサー５６がガス流過方向に対してこの順で設けられていると共に圧力センサー５６より下流側の位置に絞り部５７が形成されており、ガス吐出量が例えば０．４〜０．４５リットル／ｍｉｎとされている。
【００３１】
上記の複数ガスモニター同時校正装置１０においては、次のようにしてガスモニター５０の校正が行われる。すなわち、先ず、５台の拡散式用ガスモニター５０Ａおよび５台の吸引式用ガスモニター５０Ｂの合計１０台のガスモニター５０が、電源がＯＮ状態とされた状態で、それぞれ、拡散式ガスモニター接続用校正モジュール２０Ａおよび吸引式ガスモニター接続用校正モジュール２０Ｂに装着されることにより、装置本体１１における制御機構１９によって、ガスモニター５０が接続された校正モジュール２０が認識され、拡散式ガスモニター接続用校正モジュール２０Ａにおけるガス吸引手段３０が作動されると共にすべての校正モジュール２０における電磁弁２５が開放される。
一方、装置本体１１における制御機構１９によって、ガスモニター５０の校正に必要なガスが選択されて当該ガスに係る特定ガス導入路１４の電磁弁１６が開放され、これにより、一種のガスが単独であるいは複数種のガスが混合された状態で、吸引式ガスモニター５０Ｂそれ自体のガス吸引手段５５または拡散式ガスモニター接続用校正モジュール２０Ａのガス吸引手段３０によって吸引される。
【００３２】
校正用ガスは、主ガス供給流路４０を通ってガスモニター５０が接続された各校正モジュール２０における校正用ガス供給部２１を順次に流過され、各校正モジュール２０においては、第１のガス入口２２Ａから導入された校正用ガスの一部が電磁弁２５によってガス流量が規制された状態において分岐ガス供給流路４２を通って、ガスモニター５０のガス検知部５１に導入される。なお、ガスモニター５０が接続されていない校正モジュール２０が存在する場合には、当該校正モジュールの校正用ガス供給部２１に導入された校正用ガスの全部が短絡流路４１を通って後続の校正モジュールに導入される。
そして、ガス検知部２１を流過してガスモニター５０から排出されたガスは、逆止弁２６の作用によって先行の校正モジュールから排出されたガスの当該ガスモニター５０への流入が禁止された状態で、内部排出流路４６に排出される。その後、ガス排出流路４５を通って後続の校正モジュールに導入されて、最終的に、最後の校正モジュールから装置外部に排出される。
以上のようにして、複数個のガスモニター５０の全部についての所要の校正処理、具体的には、ガスモニター５０における個々のガスセンサー５１Ａの感度バラツキの調整、経時的なガスセンサー５１Ａの感度特性の変動の調整等が、同時に行われる。
【００３３】
上述したように、ガスモニター５０は、監視動作の終了後に、監視動作によって取得された監視データを含むガスモニター情報の情報伝達処理、電池の充電処理および必要に応じて行われる上記のガス検知部の校正処理を含む更新処理が行われる。
【００３４】
而して、上記の複数ガスモニター同時校正装置１０における各校正モジュール２０は、情報通信機能および充電機能を備えており、複数台のガスモニター５０の更新処理を行うことができるよう構成されている。
具体的には、図２に示されているように、この複数ガスモニター同時校正装置１０においては、各校正モジュール２０が例えばＲＳ−４８５規格に基づく電気通信用コネクター６０によって装置本体１１との相互接続が達成されていると共に、例えばＩｒＤＡ規格に基づく赤外線通信用コネクター６１によりガスモニター５０と校正モジュール２０との相互接続が達成されており、これにより、情報伝達機構が構成されている。
そして、各校正モジュール２０には、例えばフラッシュメモリよりなる記録手段６２が設けられており、ガスモニター５０から赤外線通信方式によって転送される監視データを含むガスモニター情報が記録手段６２に一時的に記録される。
【００３５】
ガスモニター５０に記録されたガスモニター情報には、例えば監視動作中に取得される監視データの他に、例えば校正前濃度指示値、校正後濃度指示値、校正日時および校正期限などの校正履歴データなどが含まれる。
監視データとしては、例えば一定周期毎に、一定時間の濃度測定値の平均値を記録したものに加え、警報や故障等のイベントを随時記録したもの（インターバルトレンドデータ）、警報が発せられた前後例えば３０分間（合計１時間）の濃度値変化における５秒間毎のピーク値を記録したもの（アラームトレンドデータ）、警報が発せられた場合における警報の種類と時間を記録したもの（アラームイベントデータ）、故障が生じた場合における故障の種類と時間を記録したもの（トラブルイベントデータ）などが挙げられる。
【００３６】
また、各校正モジュール２０には、充電用出力端子（図示せず）が設けられており、ガスモニター５０が所定の位置に適正な姿勢で装着されることによりガスモニター５０における充電用入力端子が校正モジュール２０における充電用出力端子に接続される。
【００３７】
以上において、この複数ガスモニター同時校正装置１０には、装置本体１１および各々の校正モジュール２０の一方または両方に、校正モジュール２０に接続されたガスモニター５０の状態を例えば発光によって表示するガスモニター状態表示用発光部６６を備えた表示機構６５が設けられている。
図３に示されているように、ガスモニター状態表示用発光部６６は、各々例えば発光ダイオードよりなる２つの光源６７，６８を具えてなり、「ＣＡＬ」と表示された一方の光源６７が校正処理および情報伝達処理の結果を、点灯状態および発色状態により区別して表示するものとされ、「ＣＨＡＲＧＥ」と表示された他方の光源６８が充電処理の状況を、点灯状態および発色状態により区別して表示するものとされている。
【００３８】
上記の複数ガスモニター同時校正装置１０においては、次のようにして、監視動作終了後のガスモニター５０についての更新処理がなされる。
すなわち、図４に示されているように、先ず、作業者は、装置本体１１の電源を入れると共に、拡散式ガスモニター５０Ａおよび吸引式ガスモニター５０Ｂの各々を、それぞれ、電源がＯＮ状態とされた状態で、拡散式ガスモニター接続用校正モジュール２０Ａおよび吸引式ガスモニター接続用校正モジュール２０Ｂに接続する。
【００３９】
そして、装置本体１１における制御機構１９によって、校正モジュール２０に接続されたガスモニター５０の電源がＯＮ状態となっているか否かの判別処理が行われ、ガスモニター５０の電源がＯＦＦ状態とされていることが確認された場合（図４において「ＮＯ」と表示）には、当該ガスモニター５０について充電処理のみが行われる。
一方、ガスモニター５０の電源がＯＮ状態とされていることが確認された場合（図４において「ＹＥＳ」と表示）には、当該ガスモニター５０が校正モジュール２０によって認識され、ガスモニター５０が接続されたすべての校正モジュール２０において、ガスモニター５０に記録された、監視データを含むガスモニター情報が赤外線通信方式によって校正モジュール２０の記録手段６２に転送（ダウンロード）されて当該ガスモニター情報が記録手段６２に記録される。このようなガスモニター５０と校正モジュールとの間の情報伝達処理は、すべての校正モジュール２０において互いに独立して行われ、従って、ガスモニター５０の全部について同時にデータ通信処理が行われる。
その後、校正モジュール２０の記録手段６２に記録されたガスモニター情報は、電気通信方式によって各校正モジュール２０から装置本体１１に順次に転送される。
【００４０】
次いで、制御機構１９によって校正モジュール２０に接続されたガスモニター５０についてのバンプ試験および校正処理を行う必要があるか否かの判別処理が行われる。ここに、「バンプ試験」とは、例えばガスモニター５０における各々のガスセンサー５１Ａによるガスの選択性およびガスセンサー５１Ａによる検知対象ガスの濃度指示値が適正なものであるか否かを確認するものである。
制御機構１９によるバンプ試験および校正処理の実施の必要性の判断は、転送されたガスモニター情報に含まれるガスモニター５０についての校正履歴データに基づいてなされる。具体的には、ガスモニター５０が使用開始時または前回のバンプ試験実施時から一定期間が経過したものであることが確認された場合（図４において「ＹＥＳ」と表示）には、当該ガスモニター５０について、ガス選択供給機構１２から必要なガスが供給されることによりバンプ試験が行われる。バンプ試験が行われた結果、当該ガスモニター５０のガスの選択性能が低下していること、あるいは濃度指示値が適正なものでないことが確認された場合（図４において「ＮＧ」と表示）には、当該ガスモニター５０について上述したような校正処理が行われる。
バンプ試験の結果の判断基準は、例えば各々のガスセンサー５１Ａに係る検知対象ガス成分の、実際の濃度に対する検知された濃度の指示値の差が±１０〜３０％以下の範囲内である場合を、ガスモニター５０の性能が改善されたもの（図４において「ＯＫ」と表示）とする。
【００４１】
一方、ガスモニター５０がバンプ試験の実施が不要であるものであることが確認された場合（図４において「ＮＯ」と表示）、および、バンプ試験が行われた結果、ガスモニター５０の性能が改善されたことが確認された場合（図４において「ＯＫ」と表示）には、制御機構１９によって、当該ガスモニター５０について校正処理を行う必要があるか否かの判別処理が転送されたガスモニター情報に含まれる当該ガスモニターについての校正履歴データに基づいて行われる。
そして、ガスモニター５０が使用開始時または前回の校正処理実施時から一定期間が経過したものであることが確認された場合（図４において「ＹＥＳ」と表示）には、当該ガスモニター５０について上述したような校正処理が行われる。
【００４２】
ガスモニター５０が校正処理の実施が不要であるものであることが確認された場合、および、所要の校正処理が終了した場合には、校正モジュール２０が無操作状態になって所定時間が経過した後、ガスモニター５０の電源が制御機構１９によって自動的にＯＦＦ状態とされる。
そして、ガスモニター５０の電源がＯＦＦ状態とされた後、ガスモニター５０についての充電処理が行われる。ここに、ガスモニター５０の充電処理に要する時間は、最長でも例えば２時間程度である。
以上において、ガスモニター５０についてのバンプ試験の期限および校正処理の期限は、必要に応じて適宜に設定されており、バンプ試験の期限が例えば３０日間、校正処理の期限が９０日間とされる。
【００４３】
以上のようなガスモニター５０についての一連の更新処理が終了すると、装置本体１１および各校正モジュール２０におけるガスモニター表示用発光部６６の一方または両方によってガスモニター５０の状態が２つの光源６７，６８の点灯状態および発色状態により区別されて表示される。
具体的な表示例を示すと、例えば、一連の更新処理が終了した時点において、バンプ試験および校正処理の一方または両方が実施されてバンプ試験および校正処理の結果が共に良好である場合には、一方の光源６７が緑色点灯状態とされており、充電処理が完了している場合には他方の光源６８が緑色点灯状態とされる。また、ガスモニター５０が電源がＯＦＦ状態のままで校正モジュール２０に装着されていた場合には、一方の光源６７が消灯状態とされると共に他方の光源６８が緑色点灯状態とされる。さらに、バンプ試験の結果が不良または所要の校正処理が実行されなかった場合には、一方の光源６７が赤色点灯状態とされ、バンプ試験および校正処理の両方が不要と判断されて実行されなかった場合には、一方の光源６７が黄色点灯状態とされ、情報伝達処理が完了していることが示される。
【００４４】
而して、上記構成の複数ガスモニター同時校正装置によれば、各校正モジュール２０に設けられた電磁弁２５の開閉状態が制御されて、校正用ガスが、電源がＯＮ状態とされたガスモニター５０が接続された校正モジュール２０のみに供給されると共に、個別ガス排出流路４７に設けられた特定の逆止弁２６が小さい圧力で作動されるので、装置全体におけるガス流路を流過するガスの圧力損失を小さくすることができる結果、ガス供給能力が低いガス吸引手段によって円滑なガス供給およびガス排出を行うことができる。従って、吸引式ガスモニター５０Ｂにおけるガス吸引手段５５および拡散式ガスモニター校正モジュール２０Ａにおけるガス吸引手段３０を用いたものでありながら、複数の校正モジュール２０をいわば直列に接続することができる結果、校正用ガスを連続して各校正モジュール２０に供給することができるので、複数のガスモニター５０の全部について同時に校正処理を行うことができ、処理時間の短縮化を図ることができる。
しかも、電源がＯＮ状態とされたガスモニター５０が接続された校正モジュール２０が自動的に認識されて、当該校正モジュール２０に係るガスモニター５０について所要の更新処理が行われるので、作業者は、ガスモニター５０の電源をＯＮ状態にして校正モジュール２０に接続するという簡単な操作のみを行えばよいので、複数ガスモニター同時校正装置１０を極めて高い利便性を有するものとして構成することができる。
また、ポンプなどのガス吸引手段を別個に設けることなしに、吸引式ガスモニター５０Ｂにおけるガス吸引手段５５および拡散式ガスモニター校正モジュール２０Ａにおけるガス吸引手段３０によって、円滑なガス供給およびガス排出を行うことができるので、配管等の構成を簡素化することができると共に装置全体が大型化することを防止することができる。
【００４５】
また、データの転送速度が遅い赤外線通信方式によるガスモニター５０と校正モジュール２０とのデータ通信処理が校正モジュール２０の全部について同時に行われ、データの転送速度が早い電気通信方式による校正モジュール２０から装置本体１１へのガスモニター情報の転送処理が順次に行われるので、ガスモニター５０から監視データを含むガスモニター情報を赤外線通信方式によって順次に転送する場合に比して大幅に処理時間の短縮化を図ることができる。
校正モジュール２０に設けられた記憶手段６２としてフラッシュメモリが用いられることにより、フラッシュメモリそれ自体の特性により、監視データが記録された領域には新たな監視データが上書きされることがないので、必要とされる監視データを確実に記録することができ、しかも、以前に取得された監視データの読み出しを更新処理とは別個に必要に応じて適宜に行うことができる。
【００４６】
さらに、各校正モジュール２０に充電用出力端子が設けられていることにより、ガスモニター５０についての充電処理を複数の校正モジュール２０の全部について同時に行うことができるので、ガスモニター５０の全部についての一連の更新処理を効率よく、短時間で行うことができる。
以上のように、上記構成の複数ガスモニター同時校正装置１０によれば、複数のガスモニター５０の全部について所要の更新処理を短時間で行うことができるので、例えば５台以上のガスモニター５０の全部について更新処理を行う場合に極めて有用である。
【００４７】
また、装置本体１１および各校正モジュール２０におけるガスモニター表示用発光部６６の一方または両方によってガスモニター５０の状態が２つの光源６７，６８の点灯状態および発色状態により区別されて表示されることにより、作業者はガスモニター５０の状態を容易に把握することができるので、正常な状態にあるガスモニターを常に使用することができる。
【００４８】
以上、本発明の実施形態について説明したが、本発明は上記の実施形態に限定されるものではなく、種々の変更を加えることができる。
例えば、接続される校正モジュールの数、すなわち、一度に更新処理が行われるべきガスモニターの数は、適宜に設定することができ、また、すべての校正モジュールが拡散式ガスモニター接続用のものおよび吸引式ガスモニター接続用のもののいずれか一種のみにより構成されていてもよい。
【００４９】
また、すべての校正モジュールにガスモニターが接続される必要はなく、ガスモニターが接続されていない校正モジュールが存在する状態でガスモニターが接続された場合であっても、ガスモニターが接続された校正モジュールが自動的に認識されて、当該校正モジュールに係るガスモニターについて所要の更新処理が行われるので、実質的に問題はない。また、作業者は、ガスモニターが接続されていない校正モジュールを自由に選択してガスモニターを接続することができるので、高い利便性が得られる。
【００５０】
監視動作に使用されたガスモニターの充電処理を予め行った後、所要の更新処理を行うようにしてもよい。この場合には、電源をＯＦＦ状態にしたガスモニターを校正モジュールに接続して充電処理を行い、その後、ガスモニターの電源をＯＮ状態とすればよい。
【００５１】
ガスモニターの校正処理は、校正モジュールに接続されたガスモニターの全部について行われる必要はなく、装置本体において指定されたものについてのみ行われてもよい。
【図面の簡単な説明】
【００５２】
【図１】本発明の複数ガスモニター同時校正装置の一例における構成の概略を示す説明図である。
【図２】図１に示す複数ガスモニター同時校正装置における情報伝達機構の一構成例の概略を示すブロック図である。
【図３】ガスモニター状態表示用発光部の一例を示す説明図である。
【図４】本発明の複数ガスモニター同時校正装置において実行されるガスモニターの更新処理のフローチャート図である。
【符号の説明】
【００５３】
１０  複数ガスモニター同時校正装置
１１  装置本体
１２  ガス選択供給機構
１３  ガス導入用ポート
１３Ａ  ガス排出ポート
１４  特定ガス導入流路
１５  混合ガス流路
１６  電磁弁
１７  空気導入流路
１８  特定ガス供給源
１９  制御機構
２０  校正モジュール
２０Ａ  拡散式ガスモニター接続用校正モジュール
２０Ｂ  吸引式ガスモニター接続用校正モジュール
２１  校正用ガス供給部
２２Ａ  第１のガス入口
２２Ｂ  第２のガス入口
２３Ａ  第１のガス出口
２３Ｂ  第２のガス出口
２５  電磁弁
２６  逆止弁
３０  ガス吸引手段
３１  圧力センサー
３２  絞り部
４０  主ガス供給流路
４１  短絡流路
４２  分岐ガス供給流路
４５  ガス排出流路
４６  内部ガス排出流路
４７  個別ガス排出流路
５０  ガスモニター
５０Ａ  拡散式ガスモニター
５０Ｂ  吸引式ガスモニター
５１  ガス検知部
５１Ａ  ガスセンサー
５２  ガス導入口
５３  ガス導入流路
５５  ガス吸引手段
５６  圧力センサー
５７  絞り部
６０  電気通信用コネクター
６１  赤外線通信用コネクター
６２  記録手段
６５  表示機構
６６  ガスモニター状態表示用発光部
６７  一方の光源
６８  他方の光源
【図１】
2006003115.tif 000003
【図２】
2006003115.tif 000004
【図３】
2006003115.tif 000005
【図４】
2006003115.tif 000006